(57)【要約】【課題】フロワーの不陸の影響を受けにくかったり、あるいは、配管や配線の取り扱いが容易なシステムキッチン用フロワーキャビネットの提供を目的とする。【解決手段】第１のフロワーキャビネット３の支持構造を、左右一対の側板３７、３９と、この左右一対の側板３７、３９間に配置した中板４１と、左右一対の側板３７、３９及び中板４１の後側に配置した背板４３と、から構成する。背板４３を、上端縁が側板３７、３９及び中板４１の上端縁と同一の高さ位置となるように取り付けるが、背板４３の高さ方向の長さを側板３７、３９及び中板４１の高さ方向の長さよりも短くしておき、背板４３の下端縁が側板３７、３９及び中板４１の下端縁、すなわちフロワー４５よりも上方に位置し、背板４３の下端縁とフロワー４５との間に隙間４７が開くようにしておく。【選択図】図２
2013039228.tif 000002
【特許請求の範囲】
【請求項１】
左右一対の側板及びこの一対の側板の後端部に配置された背板を有し、前記一対の側板を支えとしてフロワー上に設けられるフロワーキャビネットであって、
前記背板の下端部は、前記一対の側板の下端部よりも上方に位置し、前記フロワーとの間に隙間を形成している、ことを特徴とするフロワーキャビネット。
【請求項２】
前記一対の側板の前側下端部には蹴込み板が掛け渡されていて、この蹴込み板の下端部は、前記フロワーよりも上方に位置し、前記フロワーとの間に隙間を形成している、ことを特徴とする請求項１記載のフロワーキャビネット。
【請求項３】
前記背板には引掛け部が設けられ、前記側板には前記引掛け部を受け取る受け部が設けられていて、
前記背板は、前記引掛け部を前記側板の前記受け部に引掛けることにより、前記側板に吊られた状態で前記一対の側板の後端部に配置される、ことを特徴とする請求項1又は２記載のフロワーキャビネット。
【請求項４】
前記受け部は、前記一対の側板のそれぞれの内面に固定された固定部と、この固定部にヒンジ結合されたプレート片状の吊るし部と、を有し、この吊るし部は、前記側板の内面と垂直状態で前記背板の前記引掛け部を受け取る、ことを特徴とする請求項３記載のフロワーキャビネット。
【請求項５】
前記受け部の前記固定部は、前記側板の前記内面に設けられた取り付け溝内に固定され、この取り付け溝は、前記吊るし部を前記固定部に重ねるように折り畳んだときに、この吊るし部が前記側板の前記内面よりも突出しないように形成されている、ことを特徴とする請求項４記載のフロワーキャビネット。
【請求項６】
前記側板の後端部内面には幅方向係合ピンが設けられ、前記背板の内面には前記幅方向係合ピン近傍に位置するように背板用係合ピンが設けられていて、この幅方向係合ピン及び背板用係合ピンは振れ止め部材で連結されている、ことを特徴とする請求項３、４又は５記載のフロワーキャビネット。
【請求項７】
前記幅方向係合ピン及び前記背板用係合ピンはそれぞれ頭部を有し、前記振れ止め部材は、断面L字状のプレート体であり、このプレート体の一方片部及び他方片部のそれぞれに下端から形成された、前記頭部よりも幅の狭いピン入れ溝を有していて、
前記振れ止め部材は、前記一方片部の前記ピン入れ溝に前記幅方向係合ピンを収め、前記他方片部の前記ピン入れ溝に前記背板用係合ピンを収めて、前記幅方向係合ピン及び前記背板用係合ピンを連結している、ことを特徴とする請求項６記載のフロワーキャビネット。
【請求項８】
前記幅方向係合ピン、前記背板用係合ピン及び前記振れ止め部材は、着脱可能な底板の下側に配置されている、ことを特徴とする請求項６又は７記載のフロワーキャビネット。
【発明の詳細な説明】
【技術分野】
【０００１】
本発明は、システムキッチンに用いられたり、家具として使用されたりするフロワーキャビネットに関する。
【背景技術】
【０００２】
一般家庭の厨房に設けられるシステムキッチンは、シンク又はシンクやコンロを備えたフロワーキャビネット（フロワーに置かれるキャビネット）及び吊り戸棚などから構成され、製造過程で組み立てられて出荷されるのが通常である。しかしながら、組み立てられたシステムキッチンの梱包及び運搬作業は煩雑で負担が大きいので、板材重量の分散を目的として、簡易に組立てができるようにシステムキッチンを構成しておき、コンパクトに分解した状態で例えば設置現場にシステムキッチンを搬送し、設置現場などでシステムキッチンを組み立てるといった備え付け方法も採用されている（例えば特許文献１参照）。このようにすることにより、製造時の組み立てコストをなくし、輸送費を低くおさえることができる。
【先行技術文献】
【特許文献】
【０００３】
【特許文献１】特開平７−２０４０３９号公報
【発明の開示】
【発明が解決しようとする課題】
【０００４】
ところで、設置現場でシステムキッチンを組み立て、一般家庭の厨房に備え付ける場合には、システムキッチンはできるだけ簡単に組み立てられ、迅速に備え付けることができるように構成されている必要がある。好ましくは、ユーザが持ち帰り、自分で組み立てられるように構成する。これにより、システムキッチンの搬入施工費を安くでき、場合によってはなくしてしまうことも可能であるし、キャビネット自体の重量が軽くなる傾向となる。しかしながら、一般家庭のフロワーには波打ちや傾斜などの不陸が生じている場合が多く、フロワーキャビネットを組み立てて備え付ける際には、フロワーの不陸に対して、フロワーキャビネットの安定性を確保したり、傾きを防止したりするのに時間と熟練が要求される。
【０００５】
例えば特許文献１では、扉前枠１０、２０、３０、４０や、底板１２、２２、３２、４２の奥側幅方向枠材などが、長く延びている分、フロワーの不陸の影響を受けやすいが、フロワーの不陸は、特にフロワーの縁部で大きくなる場合もある。したがって、簡単にフロワーキャビネットの安定性を確保したり、傾きを防止するには、まず、底板１２、２２、３２、４２の奥側幅方向枠材に対して予め対策を施し、必要に応じて、扉前枠１０、２０、３０、４０に対しても予め対策を施すこととなるが、特許文献１のフロワーキャビネットではそのような対策は施されていない。また、特許文献１のフロワーキャビネットでは、底板１２、２２、３２、４２に裏板１４、２４、３４、４４の下端部が嵌め込まれるために、配管や配線の取り扱いが煩雑となる。
【０００６】
そこで本発明は、フロワーの不陸の影響を受けにくかったり、あるいは、配管や配線の取り扱いが容易なフロワーキャビネットの提供を目的とする。
【課題を解決するための手段】
【０００７】
この目的を達成するための本発明のフロワーキャビネットは、左右一対の側板及びこの一対の側板の後端部に配置された背板を有し、前記一対の側板を支えとしてフロワー上に設けられるフロワーキャビネットであって、前記背板の下端部又は下端縁部は、前記一対の側板の下端部又は下端縁部よりも上方に位置し、前記フロワーとの間に隙間を形成しているものである。背板は、フロワーから浮き上がっているのでフロワーの不陸の影響を受けない。側板は、例えばフロワー上に直接載せられてフロワーキャビネット全体を支える。システムキッチン用のものでは、フロワーキャビネットにシンクやコンロなどが設けられるが、シンクへの下水配管やコンロへの電気配線又はガス配管などは、背板とフロワーとの間を通して行うことができる。システムキッチン用フロワーキャビネットだけでシステムキッチンが構成される場合がある。
【０００８】
フロワーキャビネットの前側下端部には蹴込みが形成される場合が多いが、蹴込みの奥側に配置される蹴込み板（ここでは一対の側板の前側下端部に掛け渡される）の下端部又は下端縁部も、フロワーより上方に位置し、フロワーとの間に隙間を形成しているのが好ましい。このように構成することにより、蹴込み板もフロワーから浮き上がるのでフロワーの不陸の影響を受けないこととなる。
【０００９】
背板に引掛け部を設け、側板には引掛け部を受け取る受け部を設けておき、背板の引掛け部を側板の受け部に引掛けることにより、背板を側板に吊られた状態で一対の側板の後端部に配置するように構成すれば、煩雑な取り付け作業を行わずに背板を簡単にかつスピーディーに取り付けることができる。これにより、背板の取り付け時に、誤って背板を落下させ破損するということを防止できる。しかも、背板が側版に対してある程度ずれ動くことができる場合も多くなるので、フロワーの不陸にキャビネットをなじませやすくなる。背板を側板に吊り下げてから、背板と側板とを他の接続手段で接続する場合がある。フロワーの不陸が大きい場合には、側板とフロワーとの間に調整パッキンを挿入したりする。受け部及び引掛け部の構造を採用する場合には、受け部を一対の側板のそれぞれの内面に固定された固定部と、この固定部にヒンジ結合されたプレート片状の吊るし部と、を有するように構成し、この吊るし部を、側板の内面と垂直状態で背板の引掛け部を引掛けられるようにあるいは受け取るように形成しておくことができる。吊るし部は、例えば水平方向に回転できるように構成される。ここでは、受け部は蝶番構造を有することとなり、側板を運搬するときに、受け部が邪魔となって側板を安定して重ねることができないといったことが防止できる。固定部と吊るし部とのヒンジ結合の構成としては、固定部の端部と吊るし部の端部とを連結ピンで回転可能に連結するものや、固定部と吊るし部とを例えば合成樹脂で一体的に成形しておくとともに、固定部と吊るし部とが回転できるように、固定部と吊るし部との間を薄肉に形成するものなどが採用できる。ここで特に、固定部を側板に設けられた取り付け溝（取り付け凹部）内に固定し、この取り付け溝を、吊るし部が固定部に重なるように折り畳まれたとき、この吊るし部又は受け部が側板の内面よりも突出しないように形成しておけば、組み立て前の側板の積み重ねに支障は全く又はほとんど生じない。引掛け部は、例えば、受け部又は吊るし部から後方（例えば奥側）に抜けないように形成される。引掛け部は、背板に設けられた引掛けピンとすることができ、この引掛けピンは頭部を有することができ、この頭部の吊るし部との係合が引掛けピンの後方への抜け止めとなるように構成できる。引掛けピンはネジ又はボルトとすることができる。ここでは、引掛けピンを吊るし部に引掛けてから引掛けピンを背板にさらにねじ込んで、背板と吊るし部又は受け部とをしっかりと接続することができる。例えば、引掛けピンは背板の内面から垂直に突出するように設けられる。
【００１０】
背板をそれぞれの側板に一点で又は一個所で吊られた状態とすると、背板が動きやすくなってしまうし、背板の側板保持機能が失われてしまうおそれがある。そこで、側板の後端部内面に幅方向係合ピンを設け、背板を側板の後端部に配置したときに幅方向係合ピン近傍に位置するように、背板の内面に背板用係合ピンを設けておき、この幅方向係合ピン及び背板用係合ピンを振れ止め部材で連結するように構成するのが好ましい。幅方向係合ピン、背板用係合ピン及び振れ止め部材の配置個所は、引掛け部及び受け部の配置箇所よりも上側又は下側とすることができる。ここでは、幅方向係合ピン及び背板用係合ピンをそれぞれ頭部を有するものとし、振れ止め部材を、断面L字状のプレート体であり、このプレート体の一方片部及び他方片部のそれぞれに下端から形成された、頭部よりも幅の狭いピン入れ溝を有するものとしておき、一方片部のピン入れ溝に幅方向係合ピン（頭部以外のピン本体）が入り込み、他方片部のピン入れ溝に背板用係合ピン（頭部以外のピン本体）が入り込むように、振れ止め部材を配置し、この振れ止め部材で幅方向係合ピン及び背板用係合ピンを連結するように構成できる。このように構成すれば、振れ止め部材の取り付けが容易となる。幅方向係合ピン及び背板用係合ピンはネジ又はボルトとすることができる。ここでは、振れ止め部材を幅方向係合ピン及び背板用係合ピンに取り付けてから、幅方向係合ピン及び背板用係合ピンを側板及び背板にさらにねじ込んで、振れ止め部材と幅方向係合ピン及び背板用係合ピンとをしっかりと接続することができる。例えば、幅方向係合ピンは側板の内面から垂直に突出するように設けられ、背板用係合ピンは背板の内面から垂直に突出するように設けられる。
【発明の効果】
【００１１】
本発明によれば、簡単に組み立てられ、かつ、備え付けることができるフロワーキャビネットを得ることができる。
【図面の簡単な説明】
【００１２】
【図１】本発明に係るシステムキッチン用フロワーキャビネットの組み立て図である。
【図２】第１のフロワーキャビネットの組み立て工程を説明するための図であり、第１のフロワーキャビネットの支持構造を組み立てた状態を示す図である。
【図３】受け部材及び引掛けピン個所の拡大図である。
【図４】別の受け部材及び引掛けピン個所の拡大図である。
【図５】振れ止め部材個所の拡大図である。
【図６】別の振れ止め部材個所の拡大図である。
【図７】第１のフロワーキャビネットの組み立て工程を説明するための図であり、支持構造に蹴込み板などを取り付けた状態を示す図である。
【図８】底板の支持ピン受けを説明するための図であり、（ａ）は支持ピン受け部分の側面図、（ｂ）は別の支持ピン受け（抜け止め支持ピン受け）を示す斜視図、（ｃ）は抜け止め支持ピン受けの受け溝に支持ピンの頭部個所を嵌め込んだ状態を示す斜視図、（ｄ）は支持ピンを抜け止めした状態を示す斜視図である。
【図９】第１のフロワーキャビネットの組み立て工程を説明するための図であり、第１のフロワーキャビネットの組み立て完了までを説明するための図である。
【図１０】第２のフロワーキャビネットの組み立て工程を説明するための図であり、第２のフロワーキャビネットの支持構造を組み立てた状態を示す図である。
【図１１】第２のフロワーキャビネットの組み立て工程を説明するための図であり、支持構造に蹴込み板などを取り付けた状態を示す図である。
【図１２】第２のフロワーキャビネットの組み立て工程を説明するための図であり、第２のフロワーキャビネットの組み立て完了までを説明するための図である。
【図１３】本発明に係る別のシステムキッチン用フロワーキャビネットの組み立て図である。
【図１４】別のシステムキッチン用フロワーキャビネットの支持構造を示す図である。
【図１５】別のシステムキッチン用フロワーキャビネットの組み立て工程を説明するための図であり、支持構造に蹴込み板などを取り付けた状態を示す図である。
【図１６】別のシステムキッチン用フロワーキャビネットの組み立て工程を説明するための図であり、システムキッチン用フロワーキャビネットの組み立て完了までを説明するための図である。
【発明を実施するための最良の形態】
【００１３】
以下、本発明の実施の形態を図面を参照して説明する。
【００１４】
図１は本発明に係るシステムキッチン用フロワーキャビネットを組み立ててフロワーに設置した場合を示す図である。
【００１５】
システムキッチン用フロワーキャビネット１は、第１のフロワーキャビネット３（フロワーキャビネット）と、第２のフロワーキャビネット５（フロワーキャビネット）とを組み合わせて構成されている。
【００１６】
第１のフロワーキャビネット３は、本体部７の上側にシンク９及び調理台１１が設けられたものであり、本体部７は、シンク９側に、一対の開き扉１３が設けられた第1収容部１５を備え、調理台１１側の上部に引き出し１７を有し、引き出し１７の下側に、開き扉１９が設けられた第２収容部２１を有している。本体部７の前側下端部には蹴込み２３が形成され、この蹴込み２３の奥側には蹴込み板２５が取り付けられている。また、第２のフロワーキャビネット５は、上側にコンロ置き台２７を備え、このコンロ置き台２７の下側に、開き扉２９が設けられた本体収容部３１を有していて、本体収容部３１の前側下端部には蹴込み３３が形成され、この蹴込み３３の奥側には蹴込み板３５が取り付けられている。蹴込み板２５及び蹴込み板３５は、同一幅（高さ）を有して連続して配置されている。第２のフロワーキャビネット５は、第１のフロワーキャビネット３よりも高さが低く、コンロ置き台２７上にガスコンロ（図示せず）を置いたとき、ガスコンロの上面の高さ位置が第１のフロワーキャビネット３の調理台１１の高さ位置とほぼ一致するように構成されている。また、第１のフロワーキャビネット３と第２のフロワーキャビネット５とは、奥行きが等しくなるように構成されている。
【００１７】
図２は第１のフロワーキャビネット３の組み立て工程を説明するための図であり、第１のフロワーキャビネット３の支持構造を組み立てた状態を示す図、図３は受け部材及び引掛けピン個所の拡大図、図４は別の受け部材及び引掛けピン個所の拡大図、図５は振れ止め部材個所の拡大図、図６は別の振れ止め部材個所の拡大図である。
【００１８】
第１のフロワーキャビネット３の支持構造は、左右一対の側板３７、３９と、この左右一対の側板３７、３９間に配置された中板（中仕切板）４１と、左右一対の側板３７、３９及び中板４１の後側（奥側）又は後端部（奥側端部）に配置された背板４３と、を有し、側板３７、３９及び中板４１は、縦方向に長いほぼ長方形の同一形状に形成されている（中板４１は、側板３７、３９と前側を一致させて配置されるが、その場合に、後端縁が側板３７、３９の後端縁よりも若干前側に位置するような奥行きを有している）。背板４３は、幅方向に長い長方形状に形成され、左右両端縁部がそれぞれ、側板３７、３９の後端部内面と接触又は接近状態となるとともに、中間部が中板３９の後端縁部と当接状態となり、上端縁が側板３７、３９及び中板４１の上端縁と同一の高さ位置となるように、側板３７、３９及び中板４１に取り付けられているが、背板４３の高さ方向の長さは側板３７、３９及び中板４１の高さ方向の長さよりも短く、背板４３の下端縁は側板３７、３９及び中板４１の下端縁、すなわちフロワー４５よりも上方に位置し、背板４３の下端縁とフロワー４５との間には隙間４７が形成されている。
【００１９】
側板３７、３９及び中板４１のそれぞれは、前側下端隅部を長方形状に切り欠いた形状の凹部４９が設けられた薄肉のプレート体として形成されていて、側板３７及び中板４１の対向面にはそれぞれ、凹部４９の上端部と同一又はほぼ同一の高さ位置で、支持ピン（ダボ）５１が前後方向に間隔を有して２つ垂直に突出して設けられ（中板４１のものは図示せず）、中板４１及び側板３９の対向面にもそれぞれ、凹部４９の上端部と同一又はほぼ同一の高さ位置で、支持ピン５１が前後方向に間隔を有して２つ垂直に突出して設けられている（側板３９のものは図示せず）。また、側板３７及び中板４１の対向面にはそれぞれ、先端部の上側位置で、支持ピン５１が上下方向に間隔を有して２つ垂直に突出して設けられ（中板４１のものは図示せず）、中板４１及び側板３９の対向面にもそれぞれ、先端部の上側位置で、支持ピン５１が上下方向に間隔を有して２つ垂直に突出して設けられている（側板３９のものは図示せず）。さらに、側板３７及び中板４１の対向面にはそれぞれ、先端部の上下２個所にヒンジ受け５３が設けられている。そして、中板４１及び側板３９の対向面にはそれぞれ、上端部に引き出し用レール５５が設けられていて（側板３９のものは図示せず）、側板３９の内面には、引き出し用レール５５の下側で、先端部の上下２個所にヒンジ受け５３が設けられている。
【００２０】
側板３７、３９のそれぞれの内面には、後端部の上側に受け部材５７（受け部）が取り付けられ、また、中板４１の面（ここでは側板３９と対向する面）にも、後端部の上側に受け部材５７が取り付けられていて、これらの受け部材５７はすべて同一の高さ位置に配置されている。受け部材５７は、金属製又は樹脂製であり、プレート片状の固定部５９と、この固定部５９に接続された、上端から受け溝６１が形成されているプレート片状の吊るし部６３と、を有し、固定部５９の端部の連結リング部６５と、吊るし部６３の端部の連結リング部６７とに連結ピン６９を回転可能に通すことにより、固定部５９と吊るし部６３とは回転可能にヒンジ結合されていて、吊るし部６３は水平方向に回動できるようになっている。このように蝶番として構成された受け部材５７の固定部５９はそれぞれ、側板３７、３９及び中板４１に形成された取り付け溝７１内にネジ７３を用いて固定されていて、この取り付け溝７１は、吊るし部６３を折り畳んだときに（図３の矢印参照）、吊るし部６３又は受け部材５７が側板３７、３９及び中板４１の面から突出しない深さのものであることが好ましい。あるいは、この取り付け溝７１は、連結リング部６５、６７の外径に等しいか又は外径よりも深く形成されるのが好ましい。
【００２１】
背板４３の内面からは、側板３７、３９及び中板４１の受け部材５７に対応して、ピン本体７５の先端に頭部７７を有する引掛けピン７９が垂直に突出していて、背板４３は、この引掛けピン７９のピン本体７５を、側板３７、３９及び中板４１のそれぞれと垂直となるように回転させた吊るし部６３の受け溝６１内に入れ込むことにより、あるいは落とし込むことにより、側板３７、３９及び中板４１に取り付けられ、側板３７、３９及び中板４１を保持する。受け溝６１は、上端が幅広であり、下側に向かって徐々に幅が狭くなるように形成されていて、下端部が引掛けピン７９のピン本体７５を受けるように円弧状又はほぼ円弧状に湾曲している。引掛けピン７９の頭部７７は、受け溝６１の下端部にピン本体７５が収容されたときに、受け溝６１の下端部周囲と係合して、引掛けピン７９が受け溝６１から後方に抜け出るのを防止している。なお、ここでは、引掛けピン７９は背板４３にねじ込まれたネジとして構成されていて、引掛けピン７９を吊るし部６３の受け溝６１に落とし込んでから、この引掛けピン７９を背板４３にさらにねじ込んで、背板４３と吊るし部６３又は受け部材６１との間のガタを無くすようにしている。
【００２２】
側板３７、３９のそれぞれの内面後端部からは、凹部４９の上端部の高さ位置に設けられている支持ピン５１の下側で、ピン本体８１の先端に頭部８３を有する幅方向係合ピン８５が垂直に突出し（側板３９のものは図示せず）、また、中板４１の面の後端部（ここでは側板３９と対向する面の後端部）からも、凹部４９の上端部の高さ位置に設けられた支持ピン５１の下側で、幅方向係合ピン８５が垂直に突出していて、これらの幅方向係合ピン８５は、例えばすべて同一の高さ位置に配置されている。また、背板４３の内面下端部からは、側板３７、３９及び中板４１の幅方向係合ピン８５に対応し、かつ、幅方向係合ピン８５の近傍に（あるいは近傍かつ同一の高さに）位置するように、ピン本体８７の先端に頭部８９を有する背板用係合ピン９１が垂直に突出している。幅方向係合ピン８５及び背板用係合ピン９１は、ここでは同一形状のものである。そして、断面L字状のプレート体として形成された振れ止め部材９３で、幅方向係合ピン８５と背板用係合ピン９１とを連結して背板４３を振れ止めする。断面L字状の振れ止め部材９３は、一方片部９５及び他方片部９７のそれぞれに、下端から形成されたピン入れ溝９９、１０１を有していて、一方片部９５のピン入れ溝９９に幅方向係合ピン８５のピン本体８１が入り込み、他方片部９７のピン入れ溝１０１に背板用係合ピン９１のピン本体８７が入り込むように、振れ止め部材９３を幅方向係合ピン８５及び背板用係合ピン９１に上方から被せるようにして取り付ける。ピン入れ溝９９は幅方向係合ピン８５のピン本体８１を収容するが、幅方向係合ピン８５の頭部８３の外径よりも幅が小さく、ピン入れ溝１０１は背板用係合ピン９１のピン本体８７を収容するが、背板用係合ピン９１の頭部８９の外径よりも幅が小さい。
【００２３】
背板４３の側板３７、３９及び中板４１への取り付けに際しては、側板３７、３９及び中板４１に設けられた受け部材５７の吊るし部６３の受け溝６１それぞれに、背板４３のそれぞれの引掛けピン７９のピン本体７５を入れ込んでから、振れ止め部材９３で幅方向係合ピン８５と背板用係合ピン９１とを連結する。なお、ここでは、幅方向係合ピン８５は側板３７、３９及び中板４１にねじ込まれたネジとして構成され、背板用係合ピン９１も背板４３にねじ込まれたネジとして構成されていて、振れ止め部材９３を幅方向係合ピン８５と背板用係合ピン９１にかぶせてから、幅方向係合ピン８５を側板３７、３９及び中板４１にさらにねじ込み、背板用係合ピン９１も背板４３にさらにねじ込んで、背板４３と側板３７、３９及び中板４１との間のガタを無くすように又は少なくするようにしている。
【００２４】
図７は第１のフロワーキャビネット３の組み立て工程を説明するための図であり、支持構造に蹴込み板２５などを取り付けた状態を示す図である。
【００２５】
第１のフロワーキャビネット３の支持構造を構成したら又は組み立てたら、側板３７及び中板４１に向き合うように設けられている、凹部４９の上端部の高さ位置の支持ピン５１上に第１底板１０３を載せ、中板４１及び側板３９に向き合うように設けられている、凹部４９の上端部の高さ位置の支持ピン５１上に第２底板１０５を載せる。第１底板１０３及び第２底板１０５はそれぞれ取り外し可能であって、幅方向係合ピン８５、背板用係合ピン９１及び振れ止め部材９３を覆い隠している。第１底板１０３及び第２底板１０５の底面にはそれぞれ、図８ａに示すように、支持ピン受け１０７が埋め込まれていて、第１底板１０３及び第２底板１０５は、支持ピン５１が支持ピン受け１０７内に入り込んだ状態で安定して支持ピン５１により支えられる。次に、幕板１０９及び１１１を取り付ける。幕板１０９及び１１１の裏面にも支持ピン受け１０７が埋め込まれていて、幕板１０９は、側板３７及び中板４１に向き合うように設けられている、先端部上側の支持ピン５１が支持ピン受け１０７内に入り込むようにして取り付けられ（図７の分解拡大部分参照）、幕板１１１も、中板４１及び側板３９に向き合うように設けられている、先端部上側の支持ピン５１が支持ピン受け１０７内に入り込むようにして取り付けられる。なお、支持ピン受け１０７としては、ピン受けケース１０７ａ内に係合部材１０７ｂが回転可能に配置された構成を有し、支持ピン５１の頭部個所を受け溝１０７ｃに嵌め込んでから、操作部１０７ｄ（係合部材１０７ｂの両側（図では上下両側）に一個所ずつ設けられている）をドライバで回転操作すると、係合部材１０７ｂが回転して、支持ピン５１の頭部５１ａの裏側に回り込み（係合部材１０７ｂには係合スリット１０７ｆが形成されていて、この係合スリット１０７ｆが頭部５１ａの後側の細い径の部分を収めるようにして頭部５１ａの裏側に回り込む）、支持ピン５１を抜け止めするもの（図８ｂ、図８ｃ及び図８ｄ参照）を用いることができる。このような抜け止め支持ピン受け１０７では、係合部材１０７ｂが支持ピン５１の頭部５１ａの裏側に回り込んだときに、係合部材１０７ｂの内面が頭部５１ａの裏側を押圧して、支持ピン５１を受け溝１０７ｃ内深くにずれ動かす締め付け型のものを使用することができる（図示したものは締め付け型のものである）。ここで、第１底板１０３及び第２底板１０５に抜け止め支持ピン受け１０７を設ける場合には、第１底板１０３及び第２底板１０５の表面に操作孔１０７ｅを形成し、この操作孔１０７ｅから、上側の操作部１０７ｄを操作できるようにしておくのが好ましい（図８ｂ参照）。また、側板３７、３９及び中板４１の凹部４９に蹴込み板２５を収容して固定する。ここで、蹴込み板２５は、下端縁が凹部４９の下端縁と一致するように取り付けられているが、仮想線で示すように、フロワー４５から浮き上がるように、凹部４９の高さよりも低く形成されてもよい。蹴込み板２５を固定するには、側板３７、３９及び中板４１の凹部４９後端面に取り付け孔（ダボ穴、図示せず）を設けておき、蹴込み板２５に設けた取り付けピン（ダボ、図示せず）をこの取り付け孔に差し込んだり、蹴込み板２５の表面から固定ビス（図示せず）を凹部４９後端面にねじ込んだり、第１底板１０３及び第２底板１０５の表面から固定ビス（図示せず）を蹴込み板２５の上端面にねじ込んだりする。そして、側板３７、３９や中板４１と背板４３との接続角部内側及び幕板１０９、１１１と側板３７、３９との接続角部内側にコーナー金具１１２を取り付けて、上端部にシンクユニットを載せたときにも十分な保形強度が確保できるようにしている。
【００２６】
図９は第１のフロワーキャビネット３の組み立て工程を説明するための図であり、第１のフロワーキャビネット３の組み立て完了までを説明するための図である。
【００２７】
支持構造に蹴込み板２５などを取り付けたら、側板３７のヒンジ受け５３に一方の開き扉１３のヒンジ（図示せず）を差し込み、中板４１のヒンジ受け５３に他方の開き扉１３のヒンジ（図示せず）を差し込んで第１収容部１５を構成するとともに、側板３９のヒンジ受け５３に開き扉１９のヒンジ（図示せず）を差し込んで第２収容部２１を構成する。また、引き出し１７を引き出し用レール５５に沿ってキャビネット内に収める。そして、シンク９及び調理台１１が一体化されたシンクユニットを上端部に載せて固定することにより第１のフロワーキャビネット３が組み立てられる（図１参照）。
【００２８】
図１０は第２のフロワーキャビネット５の組み立て工程を説明するための図であり、第２のフロワーキャビネット５の支持構造を組み立てた状態を示す図である。
【００２９】
第２のフロワーキャビネット５の支持構造は、左右一対の側板１１３、１１５と、左右一対の側板１１３、１１５の後側又は後端部に配置された背板１１７と、を備え、側板１１３、１１５は、第１のフロワーキャビネット３の側板３７、３９の上端側を切断して高さを低くした場合と同一の形状を有している。すなわち、側板１１３、１１５のそれぞれは、前側下端隅部を長方形状に切り欠いた形状の凹部４９が形成された、高さが若干低い薄肉のプレート体である。
【００３０】
側板１１３、１１５のそれぞれの内面には、凹部４９の上端部と同一又はほぼ同一の高さ位置で、第１のフロワーキャビネット３のものと同一の支持ピン５１が前後方向に間隔を有して２つ垂直に突出して設けられている。また、側板１１３、１１５のそれぞれの内面には、先端部の上側で、第１のフロワーキャビネット３のものと同一の支持ピン５１が上下方向に間隔を有して２つ垂直に突出して設けられている。さらに、側板１１５の内面の先端部の上下２個所に第１のフロワーキャビネット３のものと同一のヒンジ受け５３が設けられている。
【００３１】
背板１１７は、ほぼ正方形状に形成され、左右両端縁部がそれぞれ、側板１１３、１１５の後端部内面と接触又は接近状態となり、上端縁が側板１１３、１１５の上端縁と同一の高さ位置となるように、側板１１３、１１５に取り付けられているが、背板１１７の高さ方向の長さは側板１１３、１１５の高さ方向の長さよりも短く、背板１１７の下端縁は側板１１３、１１５の下端縁、すなわちフロワー４５よりも上方に位置し、背板１１７の下端縁とフロワー４５との間には隙間１１９が形成されている。
【００３２】
側板１１３、１１５のそれぞれの内面には、後端部の上側に、第１のフロワーキャビネット３のものと同一の受け部材５７が設けられ、これらの受け部材５７は同一の高さ位置に配置されている。受け部材５７の固定部５９はそれぞれ、第１のフロワーキャビネット３の場合と同様に、側板１１３、１１５のそれぞれに形成された、第１のフロワーキャビネット３のものと同一の取り付け溝７１内にネジ７３を用いて固定されている（図３及び図４参照）。
【００３３】
背板１１７の内面からは、側板１１３、１１５の受け部材５７に対応して、第１のフロワーキャビネット３のものと同一の、ピン本体７５の先端に頭部７７を有する引掛けピン７９が垂直に突出していて、背板１１７は、この引掛けピン７９のピン本体７５を、それぞれの側板１１３、１１５と垂直となるように回転させた吊るし部６３の受け溝６１内に入れ込むことにより、あるいは落とし込むことにより、側板１１３、１１１５に取り付けられている（図３及び図４参照）。なお、ここでも、引掛けピン７９は背板１１７にねじ込まれたネジとして構成されていて、引掛けピン７９を吊るし部６３の受け溝６１に落とし込んでから、この引掛けピン７９を背板１１７にさらにねじ込んで、背板１１７と吊るし部６３又は受け部材５７との間のガタを無くすように又は少なくするようにしている。
【００３４】
側板１１３、１１５のそれぞれの内面からは、後端部の下側で、第１のフロワーキャビネット３のものと同一の、ピン本体８１の先端に頭部８３を有する幅方向係合ピン８５が垂直に突出していて、これらの幅方向係合ピン８５は、例えば同一の高さ位置に配置されている。また、背板１１７の内面からは、側板１１３、１１５の幅方向係合ピン８５に対応し、かつ、幅方向係合ピン８５の近傍に（あるいは近傍かつ同一の高さに）位置するように、第１のフロワーキャビネット３のものと同一の、ピン本体８７の先端に頭部８９を有する背板用係合ピン９１が垂直に突出している（図５参照）。幅方向係合ピン８５及び背板用係合ピン９１は同一形状のものである。そして、第１のフロワーキャビネット３のものと同一の、断面L字状のプレート体として形成された振れ止め部材９３で、幅方向係合ピン８５と背板用係合ピン９１とを連結して背板１１７を振れ止めする。すなわち、背板１１７の側板１１３、１１５への取り付けに際しては、側板１１３、１１５のそれぞれの受け部材５７の吊るし部６３に形成されている受け溝６１に、背板１１７の引掛けピン７９のピン本体７５を入れ込み、その後に、振れ止め部材９３で幅方向係合ピン８５と背板用係合ピン９１とを連結する。なお、ここでも、幅方向係合ピン８５は側板１１３、１１５にねじ込まれたネジとして構成され、背板用係合ピン９１は背板１１７にねじ込まれたネジとして構成されていて、振れ止め部材９３を幅方向係合ピン８５と背板用係合ピン９１にかぶせてから、幅方向係合ピン８５を側板１１３、１１５にさらにねじ込み、背板用係合ピン９１も背板１１７にさらにねじ込んで、背板１１７と側板１１３、１１５との間のガタを無くすように又は少なくするようにしている。
【００３５】
図１１は第２のフロワーキャビネット５の組み立て工程を説明するための図であり、支持構造に蹴込み板３５などを取り付けた状態を示す図である。
【００３６】
第２のフロワーキャビネット５の支持構造を構成したら又は組み立てたら、側板１１３、１１５に設けられている、凹部４９の上端部の高さ位置の支持ピン５１上に第３底板１２１を載せる。第３底板１２１は取り外し可能であって、幅方向係合ピン８５、背板用係合ピン９１及び振れ止め部材９３を覆い隠している。第３底板１２１の底面には、第１のフロワーキャビネット３のものと同一の支持ピン受け１０７が埋め込まれていて、第３底板１２１は、支持ピン５１が支持ピン受け１０７内に入り込んだ状態で安定して支持ピン５１により支えられる（図８ａ参照）。次に、幕板１２３を取り付ける。幕板１２３裏面には支持ピン受け１０７が埋め込まれていて、幕板１２３は、側板１１３、１１５に向き合うように設けられている、先端部上側の支持ピン５１が支持ピン受け１０７内に入り込むようにして取り付けられる。なお、支持ピン受け１０７としては、ピン受けケース１０７ａ内に係合部材１０７ｂが回転可能に配置された構成を有するものを用いることができ、締め付け型のものを使用することもできる（図８ｂ、図８ｃ及び図８ｄ参照）。ここで、第３底板１２１に抜け止め支持ピン受け１０７を設ける場合には、第３底板１２１の表面に操作孔（図示せず）を形成し、この操作孔から、上側の操作部１０７ｄを操作できるようにしておくのが好ましい（図８ｄ参照）。また、側板１１３、１１５の凹部４９に蹴込み板３５を収容して固定する。ここで、蹴込み板３５は、下端縁が凹部４９の下端縁と一致するように取り付けられているが、仮想線で示すように、フロワー４５から浮き上がるように、凹部４９の高さよりも低く形成されてもよい。蹴込み板３５の取り付けは、第１のフロワーキャビネット３の蹴込み板２５の取り付けと同様に行うことができる。そして、側板１１３、１１５と背板１１７との接続角部内側及び幕板１２３と側板１１５との接続角部内側にコーナー金具１１２を取り付けて、コンロ（図示せず）を載せたときにも十分な保形強度が確保できるようにしている。
【００３７】
図１２は第２のフロワーキャビネット５の組み立て工程を説明するための図であり、第２のフロワーキャビネット５の組み立て完了までを説明するための図である。
【００３８】
支持構造に蹴込み板３５などを取り付けたら、側板１１５のヒンジ受け５３に開き扉２９のヒンジ（図示せず）を差し込んで本体収容部３１を構成する。そして、コンロ置き台２７を上端部に載せて固定することにより第２のフロワーキャビネット５が組み立てられる（図１参照）。
【００３９】
図１３は本発明に係る別のシステムキッチン用フロワーキャビネットの組み立て図、図１４は別のシステムキッチン用フロワーキャビネットの支持構造を示す図である。
【００４０】
別のシステムキッチン用フロワーキャビネット１２５は、第１のフロワーキャビネット３と第２のフロワーキャビネット５とを一体化した構成を有している。ここで、システムキッチン用フロワーキャビネット１と同一の構成の部分は同一の符号を付すが、説明を省略する場合がある。第１のフロワーキャビネット３と第２のフロワーキャビネット５との一体化にあたっては、左右一対の側板３７、１２７と、この左右一対の側板３７、１２７間に配置された、側板３７側の中板（中仕切板）４１と、左右一対の側板３７、１２７間に配置された、側板１２７側の中板（中仕切板）１２９と、左右一対の側板３７、１２７及び中板４１、１２９の後側又は後端部に配置された背板１３１と、を用いている。側板３７及び側板１２７は同一の形状の薄肉プレート体であり、中板４１及び中板１２９も同一形状の薄肉プレート体であって、背板１３１は、幅方向に長い長方形状に形成され、左右両端縁部がそれぞれ、側板３７、１２７の後端部内面と接触又は接近状態となるとともに、中間部が中板４１、１２９の後端縁部と当接状態となり、上端縁が側板３７、１２７及び中板４１、１２９の上端縁と同一の高さ位置となるように、側板３７、１２７及び中板４１、１２９に取り付けられているが、背板１３１の高さ方向の長さは側板３７、１２７及び中板４１、１２９の高さ方向の長さよりも短く、背板１３１の下端縁は側板３７、１２７及び中板４１、１２９の下端縁、すなわちフロワー４５よりも上方に位置し、背板１３１の下端縁とフロワー４５との間には隙間４７が形成されている。
【００４１】
左右一対の側板３７、１２７及び中板４１、１２９に背板１３１を取り付けるには、側板３７、１２７及び中板４１、１２９のそれぞれに受け部材５７を固定し（側板１２７の受け部材５７は図示せず）、背板１３１にこれらの受け部材５７に対応して引掛けピン７９を垂直に突出して設けておき、この引掛けピン７９のピン本体７５を、側板３７、１２７及び中板４１、１２９のそれぞれと垂直となるように回転させた吊るし部６３の受け溝６１内に入れ込むように又は落とし込むようにする（図３及び図４参照）。なお、ここでも、引掛けピン７９は背板１３１にねじ込まれたネジとして構成されていて、引掛けピン７９を吊るし部６３の受け溝６１に落とし込んでから、この引掛けピン７９を背板１３１にさらにねじ込んで、背板１３１と吊るし部６３又は受け部材６１との間のガタを無くすようにしている。
【００４２】
また、背板１３１を振れ止めするには、側板３７、１２７及び中板４１、１２９のそれぞれに幅方向係合ピン８５を垂直に突出して設け、背板１３１に、これらの幅方向係合ピン８５と対応するように背板用係合ピン９１を垂直に突出して設けておき、振れ止め部材９３で、一組の幅方向係合ピン８５と背板用係合ピン９１とを連結する（図５及び図６参照）。なお、ここでも、幅方向係合ピン８５は側板３７、１２７及び中板４１、１２９にねじ込まれたネジとして構成されていて、振れ止め部材９３を幅方向係合ピン８５と背板用係合ピン９１にかぶせてから、幅方向係合ピン８５を側板３７、１２７及び中板４１、１２９にさらにねじ込んで、背板１３１と側板３７、１２７及び中板４１、１２９との間のガタを無くすように又は少なくするようにしている。
【００４３】
図１５はシステムキッチン用フロワーキャビネット１２５の組み立て工程を説明するための図であり、支持構造に蹴込み板１３５などを取り付けた状態を示す図である。
【００４４】
側板３７、１２７及び中板４１、１２９に背板１３１を取り付けて支持構造を構成したら、システムキッチン用フロワーキャビネット１の場合と同様に、第１底板１０３、第２底板１０５及び第３底板１２１を取り付ける。第１底板１０３は、側板３７及び中板４１の支持ピン５１上に載せられ、第２底板１０５は、中板４１及び中板１２９に、凹部４９の上端部の高さ位置で向き合うように設けられている支持ピン５１（中板１２９のものは図示せず）上に載せられ、第３底板１２１は、中板１２９及び側板１２７に、凹部４９の上端部の高さ位置で向き合うように設けられている支持ピン５１（側板１２７のものは図示せず）上に載せられる。第１底板１０３、第２底板１０５及び第３底板１２１はそれぞれ取り外し可能であって、幅方向係合ピン８５、背板用係合ピン９１及び振れ止め部材９３を覆い隠している。次に、幕板１０９、１１１、１３３を取り付ける。幕板１０９は、側板３７及び中板４１の支持ピン５１に取り付けられ、幕板１１１は、中板４１及び中板１２９の先端部の上側に向き合うように設けられた支持ピン５１（中板１２９のものは図示せず）に取り付けられ、幕板１３３は、中板１２９及び側板１２７の先端部の高さ方向中間に向き合うように設けられた支持ピン５１に取り付けられる。なお、第３底板１２１及び幕板１３３の裏面には、第１底板１０３、第２底板１０５及び幕板１０９、１１１と同様に、支持ピン５１が嵌め込まれる支持ピン受け１０７が埋め込まれている。支持ピン受け１０７としては、ピン受けケース１０７ａ内に係合部材１０７ｂが回転可能に配置された構成を有するものを用いることができ、締め付け型のものを使用することもできる（図８ｂ、図８ｃ及び図８ｄ参照）。次に、側板３７、１２７及び中板４１、１２９の凹部４９に蹴込み板１３５を収容して固定する。ここで、蹴込み板１３５は、下端縁が凹部４９の下端縁と一致するように取り付けられているが、仮想線で示すように、フロワー４５から浮き上がるように、凹部４９の高さよりも低く形成されてもよい。蹴込み板１３５の取り付けは、第１のフロワーキャビネット３の蹴込み板２５の取り付けと同様に行うことができる。そして、側板３７、１２７と背板１３１との接続角部内側、幕板１０９と側板３７との接続角部内側及び幕板１１１と中板１２９との接続角部内側にコーナー金具１１２を取り付けて、シンクユニットを載せたときにも十分な保形強度が確保できるようにしている。
【００４５】
図１６は別のシステムキッチン用フロワーキャビネット１２５の組み立て工程を説明するための図であり、システムキッチン用フロワーキャビネット１２５の組み立て完了までを説明するための図である。
【００４６】
支持構造に蹴込み板１３５などを取り付けたら、側板３７のヒンジ受け５３に一方の開き扉１３のヒンジ（図示せず）を差し込み、中板４１のヒンジ受け５３に他方の開き扉１３のヒンジ（図示せず）を差し込んで第１収容部１５を構成するとともに、中板１２９のヒンジ受け５３に開き扉１９のヒンジ（図示せず）を差し込んで第２収容部２１を構成する。また、引き出し１７を引き出し用レール５５（中板１２９のものは図示せず）に沿ってキャビネット内に収める。そして、側板１２７のヒンジ受け５３に開き扉２９のヒンジ（図示せず）を差し込んで第３収容部３１を構成し、シンク９、調理台１１及びガスコンロ受け１３７が一体化され、ガスコンロ受け１３７にガスコンロ１３９が収容されたシンクユニットを上端部に載せて固定することにより別のシステムキッチン用フロワーキャビネット１２５が組み立てられる（図１３参照）。
【産業上の利用可能性】
【００４７】
以上説明したように、本発明は、例えば一般家低の厨房用のシステムキッチンに適用できる。
【符号の説明】
【００４８】
１                            システムキッチン用フロワーキャビネット  
３                            第１のフロワーキャビネット
５                            第２のフロワーキャビネット
３７、３９、１１３、１１５、１２７、１２９    側板
４３、１１７、１３１          背板
４５                          フロワー
４７、１１９                  隙間
１２５                        別のシステムキッチン用フロワーキャビネット      
【図１】
2013039228.tif 000003
【図２】
2013039228.tif 000004
【図３】
2013039228.tif 000005
【図４】
2013039228.tif 000006
【図５】
2013039228.tif 000007
【図６】
2013039228.tif 000008
【図７】
2013039228.tif 000009
【図８】
2013039228.tif 000010
【図９】
2013039228.tif 000011
【図１０】
2013039228.tif 000012
【図１１】
2013039228.tif 000013
【図１２】
2013039228.tif 000014
【図１３】
2013039228.tif 000015
【図１４】
2013039228.tif 000016
【図１５】
2013039228.tif 000017
【図１６】
2013039228.tif 000018